(57)【要約】【課題】  番組特定情報（ＮＩＴあるいはＰＭＴ）を頻繁に送出できない比較的低ビットレートの放送システムにおいて、チャンネル切替え後の番組特定情報取得時間を短縮し映像／音声の提示を早くする。【解決手段】  トランスポートストリームに含まれ得る第１の情報（ＰＭＴ）を全て抽出できるように設定し、チャンネルを切換えてから最初に抽出した第１の情報から番組構成データ（ＥＳ）のＰＩＤを取得する。そして、当該番組構成データをトランスポートストリームから抽出して復号し、映像／音声を提示する。【選択図】  図１
2006173760.tif 000002
【特許請求の範囲】
【請求項１】
１つの伝送チャンネルで複数のサービスを多重化して伝送する多重化信号を受信するデジタル放送受信装置であって、
前記複数のサービスをそれぞれ構成する符号化データであるサービス構成データと、前記複数のサービスをそれぞれ示す第１の識別番号を有する第１の情報と、前記第１の情報の一覧情報を有する第２の情報とを含むトランスポートストリームに前記多重化信号を復調する復調部と、
前記トランスポートストリームから最初に抽出した前記第１の情報または前記第２の情報が示すサービスを構成する前記サービス構成データを前記トランスポートストリームから抽出することを抽出条件として設定する制御部と、
前記制御部の設定した抽出条件に基づいて前記トランスポートストリームからデータを抽出する多重分離部と、
前記多重分離部が抽出したサービス構成データを復号する復号部と、
前記復号部により復号されたデータを出力する出力部とを備えることを特徴とする、デジタル放送受信装置。
【請求項２】
前記抽出条件は、前記トランスポートストリームから最初に抽出した前記第１の情報が示すサービスを構成する前記サービス構成データを前記トランスポートストリームから抽出することである、請求項１記載のデジタル放送受信装置。
【請求項３】
前記抽出条件は、前記トランスポートストリームから抽出する前記第１の情報のうち、特定の前記第１の識別番号を有する第１の情報のみを抽出することである、請求項１記載のデジタル放送受信装置。
【請求項４】
前記第１の情報は、前記第１の識別番号が示すサービスを構成する前記サービス構成データを示す第２の識別番号と、前記チャンネルの放送地域を示す地域情報とをさらに含み、
前記第２の情報は、前記チャンネルの放送地域を示す地域情報をさらに含み、
前記デジタル放送受信装置は、前記地域情報と、前記地域情報毎に最初に前記復号部が復号すべきサービス構成データを示す前記第２の識別番号とを対応付けて保存する記憶部をさらに備え、
前記抽出条件は、前記記憶部に保存された第２の識別番号のうち、前記トランスポートストリームから最初に抽出した前記第１の情報または第２の情報に含まれる地域情報に対応している前記記憶部に保存された第２の識別番号に基づいて前記サービス構成データを抽出することである、請求項１記載のデジタル放送受信装置。
【請求項５】
１つの伝送チャンネルで複数のサービスを多重化して伝送する多重化信号を受信するデジタル放送受信方法であって、
前記複数のサービスをそれぞれ構成する符号化データであるサービス構成データと、前記複数のサービスをそれぞれ示す第１の識別番号を有する第１の情報と、前記第１の情報の一覧情報を含む第２の情報とを含むトランスポートストリームに復調する復調ステップと、
前記トランスポートストリームから最初に抽出した前記第１の情報または第２の情報が示すサービスを構成する前記サービス構成データを前記トランスポートストリームから抽出することを抽出条件として設定する制御ステップと、
前記制御ステップの設定した抽出条件に基づいて前記トランスポートストリームからデータを抽出する多重分離ステップと、
前記多重分離ステップが抽出した前記サービス構成データを復号する復号ステップと、
前記復号ステップにより復号されたデータを出力する出力ステップとを備えることを特徴とする、デジタル放送受信方法。
【請求項６】
前記抽出条件は、前記トランスポートストリームから最初に抽出した第１の情報が示すサービスを構成する前記サービス構成データを前記トランスポートストリームから抽出することである、請求項５記載のデジタル放送受信方法。
【請求項７】
前記抽出条件は、前記トランスポートストリームから抽出する前記第１の情報のうち、特定の前記第１の識別番号を有する第１の情報のみを抽出することである、請求項６記載のデジタル放送受信方法。
【請求項８】
前記第１の情報は、前記第１の識別番号が示すサービスを構成する前記サービス構成データを示す第２の識別番号と、前記チャンネルの放送地域を示す地域情報とをさらに含み、
前記第２の情報は、前記チャンネルの放送地域を示す地域情報をさらに含み、
前記地域情報と、前記地域情報毎に最初に前記復号ステップが復号すべきサービス構成データを示す前記第２の識別番号とを対応付けて保存されており、
前記抽出条件は、前記記憶部に保存された第２の識別番号のうち、前記トランスポートストリームから最初に抽出した前記第１の情報または第２の情報に含まれる地域情報に対応している前記保存された第２の識別番号に基づいて前記サービス構成データを抽出することである、請求項５記載のデジタル放送受信方法。
【請求項９】
１つの伝送チャンネルで複数のサービスを多重化して伝送する多重化信号を受信するデジタル放送受信装置のコンピュータに実行させるプログラムであって、
前記複数のサービスをそれぞれ構成する符号化データであるサービス構成データと、前記複数のサービスのうちの１つをそれぞれ示す第１の識別番号を有する第１の情報と、前記第１の情報の一覧情報を含む第２の情報とを含むトランスポートストリームに復調する復調ステップと、
前記トランスポートストリームから最初に抽出した前記第１の情報または第２の情報が示すサービスを構成する前記サービス構成データを前記トランスポートストリームから抽出することを抽出条件として設定する制御ステップと、
前記制御ステップの設定した抽出条件に基づいて前記トランスポートストリームからデータを抽出する多重分離ステップと、
前記多重分離ステップが抽出した前記サービス構成データを復号する復号ステップと、
前記復号ステップにより復号されたデータを出力する出力ステップとを、前記コンピュータに実行させることを特徴とする、デジタル放送受信プログラム。
【請求項１０】
前記抽出条件は、前記トランスポートストリームから最初に抽出した第１の情報が示すサービスを構成する前記サービス構成データを前記トランスポートストリームから抽出することである、請求項９記載のデジタル放送受信プログラム。
【請求項１１】
前記抽出条件は、前記トランスポートストリームから抽出する前記第１の情報のうち、特定の前記第１の識別番号を有する第１の情報のみを抽出することである、請求項１０記載のデジタル放送受信プログラム。
【請求項１２】
前記第１の情報は、前記第１の識別番号が示すサービスを構成する前記サービス構成データを示す第２の識別番号と、前記チャンネルの放送地域を示す地域情報とをさらに含み、
前記第２の情報は、前記チャンネルの放送地域を示す地域情報をさらに含み、
前記デジタル放送受信装置は、前記地域情報と、前記地域情報毎に最初に前記復号ステップが復号すべきサービス構成データを示す前記第２の識別番号とを対応付けて保存する記憶部をさらに備え、
前記抽出条件は、前記記憶部に保存された第２の識別番号のうち、前記トランスポートストリームから最初に抽出した前記第１の情報または第２の情報に含まれる地域情報に対応している前記記憶部に保存された第２の識別番号に基づいて前記サービス構成データを抽出することである、請求項９記載のデジタル放送受信プログラム。
【発明の詳細な説明】
【技術分野】
【０００１】
本発明は、デジタル放送受信装置、デジタル放送受信方法およびデジタル放送受信プログラムに関し、より特定的には物理周波数を基準に選局を行うチャンネルプリセット型デジタル放送受信装置においてチャンネル切替え後の番組特定情報取得に要する時間を短縮するデジタル放送受信装置およびデジタル放送受信方法およびデジタル放送受信プログラムに関する。
【背景技術】
【０００２】
地上デジタル放送のような地域密着型のローカルな県域放送を受信するデジタル放送受信装置は、放送局が伝送する放送信号を所定の周波数で送信する親局や親局からの受信電波を増幅し再送信する中継局からの放送波をアンテナにより受信する。そして、デジタル放送受信装置は、受信した放送波を復調・多重分離・復号して放送局の送信する番組（以下、サービスと称す）を利用者に提示する。したがって、利用者は、所望のサービスを視聴するには、放送局に割り当てられた周波数（以下、チャンネルと称す）を指定しなければならない。そのためには、利用者は、チャンネルを予め知っている必要があり、更には、該当地域で受信可能なすべてのチャンネルを把握しておく必要がある。そこで、一般的には、利用者の操作を簡略化するため、該当地域での受信可能チャンネルのリスト（以下、チャンネルリストと称す）を予め不揮発メモリに格納しておき、チャンネルリストから１つのチャンネルを選択することによって所望の放送局を受信できるようにしている。
【０００３】
ところで、地上デジタル放送では、全ての映像・音声データがＭＰＥＧ２−ＴＳ形式で送られる。ＭＰＥＧ２−ＴＳ形式では、映像・音声、データ放送をＴＳパケットと呼ばれるパケットに分割する。そして、これらのＴＳパケットが複数個集まって、トランスポートストリーム（以下、ＴＳと称す）を構成する。このＴＳが、放送波として放送局から送信されるものである。上記の各ＴＳパケットには、各ＴＳパケットの種類（後述するＮＩＴやＰＭＴやＥＳ等）を識別できるように、ＰＩＤ（パケットＩＤ）と呼ばれる番号が振られる。そして、あるサービスを構成する符号化された映像・音声データ（以下、ＥＳ：エレメンタリーストリームと称す）には、それぞれ同じ番号のＰＩＤが付される。また、ＴＳは最大３つのサービスを同時に伝送できるため、ＴＳに含まれているサービスと、そのサービスを構成するＥＳとの関係を表す番組特定情報が規定されている。この番組特定情報は、ＮＩＴ（Ｎｅｔｗｏｒｋ  Ｉｎｆｏｒｍａｔｉｏｎ  Ｔａｂｌｅ）やＰＭＴ（Ｐｒｏｇｒａｍ  Ｍａｐ  Ｔａｂｌｅ）と呼ばれる（例えば、非特許文献１）。
【０００４】
図１１は、ＮＩＴ、ＰＭＴおよびＥＳの関連を模式的に示す図である。図１１において、ＮＩＴ１１０には、現在放送されているサービスの一覧を示すサービス一覧情報１１１が含まれている。当該サービス一覧情報１１１には、各サービス毎に対応するサービス識別情報１２０が含まれている。図１２は、サービス識別情報１２０を示す図である。図１２において、サービス識別情報１２０は、１６ｂｉｔの情報であり、上位６ｂｉｔに受信中チャンネルの放送エリアを示す地域識別番号が記載される。また、下位３ｂｉｔに、各サービス毎に個別に割り振られるサービス番号１２１が記載される。当該サービス番号１２１と、各ＰＭＴのＰＩＤとは一意になるように予め対応付けられている。図１１に戻り、サービス番号１２１の値が０であるサービス識別情報１２０は、ＰＩＤが０であるＰＭＴ（以下、ＰＭＴ０と称す）と対応付けられている（実際は、例えば、サービス番号１２１の値が０のサービス識別情報に対応するＰＭＴのＰＩＤは”０ｘ１ＦＣ８”のように規定されているが、ここでは説明の簡略化のために、サービス番号１２１の値とＰＭＴのＰＩＤを同じ値にして説明する。）。そして、各ＰＭＴには、それぞれのサービスを構成するＥＳのＰＩＤが含まれている。つまり、特定のＥＳを取得するためには、先にＰＭＴを取得する必要があり、更に、特定のＰＭＴを取得するためには、事前にＮＩＴを取得しておく必要がある。
【０００５】
次に、地上波デジタル放送でのチャンネル切替え動作について図１３を用いて説明する。図１３は、従来のチャンネル切替え手順を示したフローである。まず、利用者によるチャンネル切替え操作により、デジタル放送受信装置は、所定の放送局から放送波の受信を開始する。受信した放送波は、ＴＳに復調される（ステップＳ１０１）。次に、デジタル放送受信装置は、復調したＴＳからＮＩＴを抽出する設定を行う（ステップＳ１０２）。次に、デジタル放送受信装置は、ＮＩＴの抽出ができたかどうかを判定する（ステップＳ１０３）。ＮＩＴが抽出できたならば（ステップＳ１０３でＹＥＳ）、デジタル放送受信装置は、ＮＩＴに含まれるサービス一覧情報１２２（図１２参照）を解析し、放送中のサービスの一覧を作成する（ステップＳ１０４）。次に、デジタル放送受信装置は、作成したサービス一覧から、例えばサービス番号の一番小さいもの（図１２では、サービス番号０）を視聴サービスとして選択する（ステップＳ１０５）。次に、デジタル放送受信装置は、サービス番号に対応するＰＭＴ（図１２ではＰＭＴ０）をＴＳから抽出するための設定を行い、当該ＰＭＴの抽出を開始する（ステップＳ１０６）。次に、デジタル放送受信装置は、ＰＭＴが抽出できたか否かを判断し（ステップＳ１０７）、ＰＭＴの抽出が完了した場合（ステップＳ１０７でＹＥＳ）、ＰＭＴに含まれるＥＳのＰＩＤを取得する。そして、デジタル放送受信装置は、当該ＥＳのＰＩＤを持つＴＳパケットの抽出設定を行う（ステップＳ１０８）。以上で、選局動作が完了する。一方、上記ステップＳ１０３またはＳ１０７にて所定時間内にデータが抽出できない場合には（ステップＳ１０３、Ｓ１０７でそれぞれＮＯ）、デジタル放送受信装置は、選局不可能であるメッセージをユーザに提示するなどの処理を行う（ステップＳ１０９）。
【非特許文献１】「第７編  地上デジタルテレビジョン放送  送出運用規定」、地上デジタルテレビジョン放送運用規定技術資料  第三分冊、第２．１版、社団法人電波産業会、平成１６年９月
【発明の開示】
【発明が解決しようとする課題】
【０００６】
しかしながら、上述したようなデジタル放送受信装置において所定のチャンネルを選局して受信しようとする場合、以下に示す問題点があった。
【０００７】
まず、地上デジタル放送はローカルな県域放送であるが故に、あるチャンネルで受信できる番組特定情報（ＮＩＴやＰＭＴ）には現在選択されているチャンネルに関する情報しか含まれていない。したがって、他のチャンネルに切替えた場合には、新たに切替え先チャンネルの番組特定情報をＴＳから抽出する必要がある。一方、番組特定情報は一定周期で送出されるため、抽出するのに最大で周期時間分の時間を要する。特に地上デジタル放送の携帯向け放送（以下、１セグメント放送）など比較的低ビットレートの放送システムでは、番組特定情報を頻繁に送出することができない。そのため、チャンネルを切替えるタイミングによっては、チャンネル切替え後からサービス提示までの遅延が顕著となることがある。
【０００８】
図１４は、チャンネルを切替えてから番組特定情報が抽出できるまでの時間経過を示した図である。上述のように、ＮＩＴやＰＭＴなどの番組特定情報は、それぞれ所定の周期時間で再送されている。そのため、例えば、図１４における時刻Ｔ１にチャンネル切替えが完了した場合、ＮＩＴの送出が完了した直後であるため、ＰＭＴを抽出し、サービスを提示するためには、次のＮＩＴ送出（時刻Ｔ２）まで待つ必要がある。そして、時刻Ｔ２にＮＩＴを抽出しても、サービス番号０番のサービスを視聴するためには、ＰＭＴ０を抽出する必要がある。そのため、更にＰＭＴ０が送出される（時刻Ｔ３）まで待つことになる。仮にＮＩＴの送出周期が１秒、ＰＭＴの送出周期が０．５秒だった場合、チャンネル切替え後にサービス番号０番を構成する各ＥＳのデコードが開始できるまで少なくとも１．５秒はかかることになる。すなわち、チャンネルを切替えても、１．５秒間は画面に何も表示されないという問題点がある。
【０００９】
上記問題点を回避するため、チャンネル毎の番組特定情報を不揮発メモリに保持しておき、チャンネル切替え直後は過去の番組特定情報を利用して選局完了までの時間を短縮することも考えられる。しかしながら、１セグメント放送のように移動しながら受信する放送システムに上記方法を適用した場合、過去にあるチャンネルで送出されていた番組特定情報が、現在においても有効な情報であるとは限らない。具体的には、過去にチャンネルＡで放送局Ａのサービスを受信していたとしても、地域を移動したことによりチャンネルＡで放送局Ｂのサービスを提供している場合がある。このとき放送局Ａと放送局Ｂでは番組特定情報が異なっている可能性があり、不揮発メモリに保持している情報が有効ではない。その結果、チャンネルの切替えが正常に行われないという問題がある。
【００１０】
それ故に、本発明の目的は、利用者にチャンネルを選択させるチャンネルプリセット型デジタル放送受信装置において、チャンネル切替え後の番組特定情報抽出に要する時間を短縮し、利用者への番組提示を高速化する受信装置、受信方法および受信プログラムを提供することである。
【課題を解決するための手段】
【００１１】
上記目的を達成するために、本発明は以下のような構成を採用した。
【００１２】
第１の発明は、１つの伝送チャンネルで複数のサービスを多重化して伝送する多重化信号を受信するデジタル放送受信装置であって、複数のサービスをそれぞれ構成する符号化データであるサービス構成データと、複数のサービスをそれぞれ示す第１の識別番号を有する第１の情報と、第１の情報の一覧情報を有する第２の情報とを含むトランスポートストリームに多重化信号を復調する復調部と、トランスポートストリームから最初に抽出した第１の情報または第２の情報が示すサービスを構成するサービス構成データを抽出することを抽出条件として設定する制御部と、制御部の設定した抽出条件に基づいてトランスポートストリームからデータを抽出する多重分離部と、多重分離部が抽出したサービス構成データを復号する復号部と、復号部により復号されたデータを出力する出力部とを備えることを特徴とする、デジタル放送受信装置である。
【００１３】
第２の発明は、第１の発明において、抽出条件は、トランスポートストリームから最初に抽出した第１の情報が示すサービスを構成するサービス構成データをトランスポートストリームから抽出することである。
【００１４】
第３の発明は、第２の発明において、抽出条件は、トランスポートストリームから抽出する第１の情報のうち、特定の第１の識別番号を有する第１の情報のみを抽出することである。
【００１５】
第４の発明は、第１の発明において、第１の情報は、第１の識別番号が示すサービスを構成するサービス構成データを示す第２の識別番号と、チャンネルの放送地域を示す地域情報とをさらに含み、第２の情報は、チャンネルの放送地域を示す地域情報をさらに含み、デジタル放送受信装置は、地域情報と、地域情報毎に最初に復号部が復号すべきサービス構成データを示す第２の識別番号とを対応付けて保存する記憶部をさらに備え、抽出条件は、記憶部に保存された第２の識別番号のうち、トランスポートストリームから最初に抽出した第１の情報または第２の情報に含まれる地域情報に対応している記憶部に保存された第２の識別番号に基づいてサービス構成データを抽出することである。
【００１６】
第５の発明は、１つの伝送チャンネルで複数のサービスを多重化して伝送する多重化信号を受信するデジタル放送受信方法であって、複数のサービスをそれぞれ構成する符号化データであるサービス構成データと、複数のサービスをそれぞれ示す第１の識別番号を有する第１の情報と、第１の情報の一覧情報を含む第２の情報とを含むトランスポートストリームに復調する復調ステップと、トランスポートストリームから最初に抽出した第１の情報または第２の情報が示すサービスを構成するサービス構成データをトランスポートストリームから抽出することを抽出条件として設定する制御ステップと、制御ステップの設定した抽出条件に基づいてトランスポートストリームからデータを抽出する多重分離ステップと、多重分離ステップが抽出したサービス構成データを復号する復号ステップと、復号ステップにより復号されたデータを出力する出力ステップとを備えることを特徴とする、デジタル放送受信方法である。
【００１７】
第６の発明は、第５の発明において、抽出条件は、トランスポートストリームから最初に抽出した第１の情報が示すサービスを構成するサービス構成データをトランスポートストリームから抽出することである。
【００１８】
第７の発明は、第６の発明において、抽出条件は、トランスポートストリームから抽出する前記第１の情報のうち、特定の第１の識別番号を有する第１の情報のみを抽出することである。
【００１９】
第８の発明は、第５の発明において、第１の情報は、第１の識別番号が示すサービスを構成する前記サービス構成データを示す第２の識別番号と、チャンネルの放送地域を示す地域情報とをさらに含み、第２の情報は、チャンネルの放送地域を示す地域情報をさらに含み、地域情報と、地域情報毎に最初に復号ステップが復号すべきサービス構成データを示す第２の識別番号とを対応付けて保存されており、抽出条件は、記憶部に保存された第２の識別番号のうち、トランスポートストリームから最初に抽出した第１の情報または第２の情報に含まれる地域情報に対応している保存された第２の識別番号に基づいてサービス構成データを抽出することである。
【００２０】
第９の発明は、１つの伝送チャンネルで複数のサービスを多重化して伝送する多重化信号を受信するデジタル放送受信装置のコンピュータに実行させるプログラムであって、複数のサービスをそれぞれ構成する符号化データであるサービス構成データと、複数のサービスのうちの１つをそれぞれ示す第１の識別番号を有する第１の情報と、第１の情報の一覧情報を含む第２の情報とを含むトランスポートストリームに復調する復調ステップと、トランスポートストリームから最初に抽出した第１の情報または第２の情報が示すサービスを構成するサービス構成データをトランスポートストリームから抽出することを抽出条件として設定する制御ステップと、制御ステップの設定した抽出条件に基づいてトランスポートストリームからデータを抽出する多重分離ステップと、多重分離ステップが抽出したサービス構成データを復号する復号ステップと、復号ステップにより復号されたデータを出力する出力ステップとを、コンピュータに実行させることを特徴とする、デジタル放送受信プログラムである。
【００２１】
第１０の発明は、第９の発明において、抽出条件は、トランスポートストリームから最初に抽出した第１の情報が示すサービスを構成するサービス構成データをトランスポートストリームから抽出することである。
【００２２】
第１１の発明は、第１０の発明において、抽出条件は、トランスポートストリームから抽出する第１の情報のうち、特定の第１の識別番号を有する第１の情報のみを抽出することである。
【００２３】
第１２の発明は、第９の発明において、第１の情報は、第１の識別番号が示すサービスを構成するサービス構成データを示す第２の識別番号と、チャンネルの放送地域を示す地域情報とをさらに含み、第２の情報は、チャンネルの放送地域を示す地域情報をさらに含み、デジタル放送受信装置は、地域情報と、地域情報毎に最初に復号ステップが復号すべきサービス構成データを示す第２の識別番号とを対応付けて保存する記憶部をさらに備え、抽出条件は、記憶部に保存された第２の識別番号のうち、トランスポートストリームから最初に抽出した第１の情報または第２の情報に含まれる地域情報に対応している記憶部に保存された第２の識別番号に基づいてサービス構成データを抽出することである。
【発明の効果】
【００２４】
上記第１の発明によれば、送出される可能性のある全ての第１の情報（例えばＰＭＴ）と第２の情報（例えばＮＩＴ）のどちらが送出されても抽出できるため、先に第１の情報が送出された場合、従来行われていた、現在のチャンネルでどのようなサービスが放送されているかを確認するための第２の情報を抽出する手順を省略することができる。そのため、第１の情報と第２の情報との送出間隔に関わらず、利用者への番組提示にかかる時間を短縮することが可能となる。
【００２５】
上記第２の発明によれば、従来行われていた、現在のチャンネルでどのようなサービスが放送されているかを確認するための第２の情報を抽出する手順を省略することができる。そのため、先に第１の情報が送出された場合であっても、利用者への番組提示までの時間を短縮することができる。
【００２６】
上記第３の発明によれば、１つのチャンネルで複数のサービスが放送されている場合でも、チャンネルを切替えるタイミングによって選択されるサービスにばらつきが生じず、特定のサービスが常に選択される。
【００２７】
上記第４の発明によれば、地域情報に関連付けて第２の識別番号を保持しておくため、利用者が放送地域を移動しても、過去に番組を視聴したことのある地域間の移動であれば、過去の情報で代用することにより利用者への番組提示までの時間を短縮することができる。
【００２８】
また、本発明のデジタル放送受信方法および受信プログラムによれば、上述した本発明のデジタル放送受信装置と同様の効果を得ることができる。
【発明を実施するための最良の形態】
【００２９】
（第１の実施形態）
図１は、本発明の第１の実施形態に係るデジタル放送受信装置を示すブロック図である。図１において、受信アンテナ１は、地上デジタル放送の放送局からＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式で送信される放送電波を受信し、チューナ部２へ出力する。チューナ部２は、放送局ごとに割り当てられた所定の周波数に同調することで所定の放送局を選局し、受信アンテナ１を介して受信した放送電波を復調部３へ出力する。復調部３は、受信した放送電波をトランスポートストリーム（以下、ＴＳと称す）に復調する。多重分離部４は、復調されたＴＳから、圧縮映像データである映像エレメンタリーストリーム（以下、映像ＥＳ）と圧縮音声データである音声エレメンタリーストリーム（以下、音声ＥＳ）を分離し、復号部５へ出力する。また、多重分離部４は、番組特定情報をＴＳから分離し、制御部７へ出力する。復号部５は、映像ＥＳおよび音声ＥＳを原映像データおよび原音声データへの復号を行う。復号された原映像データや原音声データは出力部６にて利用者に提示される。具体的には、映像は液晶ディスプレイに表示され、音声は内蔵スピーカーから出力される。制御部７は、チャンネルリスト８から切替え対象のチャンネル番号を取得し、チューナ部２に設定する。また、制御部７は、多重分離部４から出力される番組特定情報を解析し、多重分離部４が行う上記各ＥＳの抽出設定を行う。
【００３０】
本実施形態は、従来行われていた、ＴＳからＮＩＴを抽出し、ＮＩＴを解析してからＰＭＴを特定してＰＭＴを抽出する、という手順を省き、あらかじめ全てのＰＭＴを抽出できる設定を行っておき、ＮＩＴを抽出せずともＰＭＴを抽出して、最終的にＥＳを抽出するものである。
【００３１】
以下、図２を用いて、受信装置が行う受信処理の詳細動作を説明する。図２は、第１の実施形態にかかる受信装置の受信処理のフローチャートである。図２において、まず、チュ−ナ部２は、利用者によるチャンネル切替え操作に基づき、所定のチャンネルに同期して放送電波を受信する。復調部３は、受信した放送電波をＴＳに復調して、多重分離部４へ出力する（ステップＳ１）。
【００３２】
次に、制御部７は、多重分離部４がＴＳから抽出すべきＴＳパケット（ＰＭＴ）の抽出条件の設定を行う（ステップＳ２）。当該抽出処理の設定は、１セグメント放送では、送出されるＰＭＴに付されるパケットＩＤ（以下、ＰＩＤと称す）は高々８種類しか使われないという点に鑑みて、どのＰＩＤが付されたＰＭＴが送出されても抽出できるように、各ＰＩＤに対応した８種類の抽出条件の設定を並列に行うものである。具体的には、制御部７は、多重分離部４がＴＳからＴＳパケットを分離・抽出する際に参照するテーブルであるフィルタリングテーブルに、ＰＭＴのＰＩＤ８種類全て（例えば０〜７）を登録する。これにより、多重分離部４は、当該フィルタリングテーブルに登録されているＰＩＤを有するＰＭＴ、つまり８種類のＰＭＴ全てをＴＳから抽出できる状態になる。
【００３３】
次に、多重分離部４は、復調部３から出力されるＴＳに含まれるＴＳパケットを順次取得し、当該ＴＳパケットのＰＩＤを上記フィルタリングテーブルに登録されたＰＩＤと照合する。そして、フィルタリングテーブルに登録されているＰＩＤと一致する場合は、多重分離部４は、当該ＴＳパケット（ＰＭＴ）を抽出する（なお、一致しない場合は破棄する）。すなわち、８種類のＩＤを有するＰＭＴのうち、いずれか最初に送られて来たＰＭＴをＴＳから抽出することになる。そして、多重分離部４は、所定の時間内に任意のＰＭＴが抽出できたか否かを判定する（ステップＳ３）。
【００３４】
ステップＳ３の判定の結果、ＰＭＴを抽出できた場合（ステップＳ３でＹＥＳ）、多重分離部４は、当該ＰＭＴを制御部７に出力する。制御部７は、当該ＰＭＴに含まれているＥＳのＰＩＤを取得する。次に、制御部７は、フィルタリングテーブルを一旦クリアし、取得したＥＳのＰＩＤをフィルタリングテーブルに登録しなおす（ステップＳ４）。そして、多重分離部４は、フィルタリングテーブルに登録されているＰＩＤを有するＴＳパケット（ＥＳ）を復調部３から出力されるＴＳから順次抽出し、復号部５へ出力していく。復号部５は、出力された各ＥＳを原映像データ・原音声データにデコードし、出力部６へ出力していく。一方、ステップＳ３の判定の結果、所定時間内にＰＭＴが取得できない場合（ステップＳ３でＮＯ）には、制御部７は、選局不可能である旨のメッセージをユーザに提示するなどの処理を行う（ステップＳ５）。例えば、真夜中等の番組放送終了後の時間帯におけるチャンネル切替え等で、所定時間内にＰＭＴが抽出できない場合が該当する。以上で、第１の実施形態にかかる受信処理は終了する。
【００３５】
このように、第１の実施形態では、ＮＩＴの抽出を待たずともＰＭＴを抽出できれば、ＥＳを抽出してデコード処理を開始できるため、従来に比してチャンネル切替え後に番組が提示されるまでの時間を短縮できる。図３は、チャンネルを切替えてからＰＭＴを抽出するまでの時間経過を示す図である。図３において、時刻Ｔ１でチャンネルの切替えが完了したとする。時刻Ｔ１の直後は、サービス番号２番に対応するＰＭＴ（以下、ＰＭＴ２と称す）が送出されている。一方、フィルタリングテーブルには、ＰＭＴ２を示すＰＩＤが登録されている。そのため、時刻Ｔ３にＰＭＴ２が抽出できる。そして、ＰＭＴ２に含まれるＥＳのＰＩＤに基づいて所定のＥＳを抽出し、デコード処理を行うことで、ＰＭＴ２すなわちサービス番号２番の番組を画面に表示できる。すなわち、利用者がチャンネルを切替えれば（時刻Ｔ１）、ＮＩＴの抽出（時刻Ｔ２）を待たなくても、画面にサービス番号０〜２のうちのいずれかの番組が表示されることになる（時刻Ｔ３）。つまり、チャンネルを切替えた後の利用者への番組提示を高速化できる。
【００３６】
（第２の実施形態）
以下、図４〜図６を用いて、本発明の第２の実施形態にかかる受信処理を説明する。第１の実施形態では、ＰＭＴのみを抽出する設定を行っている。一方、第２の実施形態では、ＰＭＴの抽出設定に加え、ＮＩＴの抽出設定も行い、ＮＩＴ、ＰＭＴのいずれが来ても抽出できるようにする。なお、当該実施形態に係るデジタル放送受信装置は、上述した第１の実施形態と同様であるため、同一の参照符号を付して詳細な説明を省略する。
【００３７】
図４は、第２の実施形態にかかるデジタル放送受信装置で行われる受信処理を示すフローチャートである。まず、チュ−ナ部２は、利用者によるチャンネル切替え操作に基づき、所定のチャンネルに同期して放送電波を受信する。復調部３は、受信した放送電波をＴＳに復調して、多重分離部４へ出力する（ステップＳ１１）。
【００３８】
次に、制御部７は、多重分離部４がＴＳから抽出すべきＴＳパケットの抽出条件の設定、すなわち抽出処理の設定を行う（ステップＳ１２）。このステップＳ１２の処理をより具体的に説明すると、まず、制御部７は、フィルタリングテーブルに、特定のＰＭＴのＰＩＤを登録する。この特定のＰＭＴには、例えば、非特許文献１の規定に基づき、プライマリサービスとして指定されているサービス番号０番に対応するＰＭＴ（以下、ＰＭＴ０と称す）のＰＩＤを指定することが望ましい。更に、制御部７は、ＮＩＴであることを示すＰＩＤも登録する。つまり、ステップＳ１２においては、ＮＩＴとＰＭＴ０を抽出できるよう、フィルタリングテーブルを設定することになる。
【００３９】
次に、多重分離部４は、復調部３から出力されたＴＳに含まれるＴＳパケットを順次取得し、当該ＴＳパケットのＰＩＤを上記フィルタリングテーブルに登録されたＰＩＤと照合する。そして、フィルタリングテーブルに登録されているＰＩＤと一致する場合は、多重分離部４は、当該ＴＳパケット（ＮＩＴあるいはＰＭＴ０）を抽出する（なお、一致しない場合は破棄して、次のＴＳパケットを取得する）。そして、多重分離部４は、所定時間内にＮＩＴおよびＰＭＴ０の何れかが抽出できたか否かを判定する（ステップＳ１３）。
【００４０】
ステップＳ１３の判定の結果、所定時間内にＮＩＴもＰＭＴ０も抽出できなかった場合（ステップＳ１３でＮＯ）、制御部７は、選局不可能である旨のメッセージをユーザに提示するなどの処理を行う（ステップＳ２０）。一方、所定時間内にＮＩＴまたはＰＭＴ０が抽出できていれば（ステップＳ１３でＹＥＳ）、制御部７は、抽出したＴＳパケットがＮＩＴかＰＭＴ０かを判定する（ステップＳ１４）。
【００４１】
ステップＳ１４の判定の結果、抽出したＴＳパケットがＮＩＴである場合（ステップＳ１４でＹＥＳ）は、制御部７は、ＮＩＴを解析し、サービス一覧情報（図１２参照）を取得する（ステップＳ１５）。次に、制御部７は、視聴するサービスとして、一番小さいサービス番号を有するサービスを上記サービス一覧情報から選択する（ステップＳ１６）。そして、制御部７は、フィルタリングテーブルを一旦クリアして、上記サービス一覧情報から選択したサービスに対応するＰＭＴのＰＩＤをフィルタリングテーブルに登録する（ステップＳ１７）。次に、多重分離部４は、復調部３から出力されたＴＳに含まれるＴＳパケットを順次取得し、当該ＴＳパケットのＰＩＤを上記フィルタリングテーブルに登録されたＰＩＤと照合する。そして、多重分離部４は、所定時間内にＰＭＴが抽出できたか否かを判定する（ステップＳ１８）。ステップＳ１８の判定の結果、所定時間内にＰＭＴを抽出できなかった場合（ステップＳ１８でＮＯ）、制御部７は、選局不可能であるメッセージをユーザに提示するなどの処理を行う（ステップＳ２０）。一方、所定時間内にＰＭＴが抽出できていれば、抽出したＰＭＴに含まれているＥＳのＰＩＤを取得する。次に、制御部７は、フィルタリングテーブルを一旦クリアし、取得したＥＳのＰＩＤをフィルタリングテーブルに登録しなおす（ステップＳ１９）。そして、多重分離部４は、フィルタリングテーブルに登録されているＰＩＤを有するＴＳパケット（すなわち各ＥＳ）をＴＳから抽出し、復号部５へ出力していく。復号部５は、出力された各ＥＳを原映像データ・原音声データにデコードし、出力部６へ出力していく。
【００４２】
一方、ステップＳ１４の判定の結果、抽出したＴＳパケットがＮＩＴでない場合（ステップＳ１４でＮＯ）は、抽出したＴＳパケットはＰＭＴ０であるので、制御部７は、抽出したＰＭＴ０に含まれているＥＳのＰＩＤを取得する。次に、制御部７は、フィルタリングテーブルを一旦クリアし、取得したＥＳのＰＩＤをフィルタリングテーブルに登録しなおす（ステップＳ１９）。そして、多重分離部４は、フィルタリングテーブルに登録されているＰＩＤを有するＴＳパケット（すなわち各ＥＳ）をＴＳから抽出し、復号部５へ出力していく。復号部５は、出力された各ＥＳを原映像データ・原音声データにデコードし、出力部６へ出力していく。以上で、第２の実施形態にかかる受信処理は終了する。
【００４３】
図５、図６は、第２の実施形態において、チャンネルを切替えてからＰＭＴを抽出するまでの時間経過を示す図である。第２の実施形態では、特定のＰＭＴとＮＩＴを並行して抽出している。例えば、特定ＰＭＴとしてＰＭＴ０を抽出するものとする。この場合、図５においては、サービス番号０、１、２の３つのサービスに対応するＰＭＴ０、１、２が送出されている。そして、時刻Ｔ１にチャンネル切替えが完了した場合、ＮＩＴが送出される前（時刻Ｔ２）にＰＭＴ０が抽出できる。また、図示しないが、ＰＭＴ０より先にＮＩＴが抽出できた場合でも、最小サービス番号を有するＰＭＴ０の抽出設定を再度行うのみなので、どちらの場合もＰＭＴ０の送出周期分の時間で番組特定情報の抽出が完了する。同様に、図６においては、サービス番号１、２の２つのサービスに対応するＰＭＴ１、２が送出されている。そして、時刻Ｔ１にチャンネル切替えが完了した場合、サービス番号０に対応したＰＭＴ０が送出されていないため、時刻Ｔ２の時点でＮＩＴの抽出を完了する。そして、一番小さいサービス番号に対応するＰＭＴ１の抽出設定がされる。その結果、時刻Ｔ３の時点でＰＭＴ１が抽出できる。
【００４４】
このように、第２の実施形態では、ＰＭＴの抽出設定に加えＮＩＴの抽出設定も並行して行う。そのため、全てのチャンネルでプライマリサービスのサービス番号が統一されていれば（例えばＰＭＴ０）、少なくともプライマリサービスにあたるＰＭＴの送出周期分の時間でＰＭＴの抽出が完了し、さらにはチャンネルを切替えるタイミングによって選択されるサービスが異なるということもない。また、プライマリサービスの番号が統一されていない場合であっても、従来と同様にＰＭＴ送出周期とＮＩＴ送出周期を加算した時間があれば必ず番組特定情報の抽出が完了する。
【００４５】
（第３の実施形態）
以下、図７〜図１１を用いて、本発明の第３の実施形態にかかる受信処理を説明する。図７は本発明の第３の実施形態にかかるデジタル放送受信装置のブロック図である。図７において、デジタル放送受信装置７００は、第１の実施形態で図１を用いて説明した受信装置１００に地域別番組特定情報７１を加えたものに相当し、他の構成部は、第１の実施形態と同様である。従って、同一部位に同一符号を付して、詳細な説明は省略する。
【００４６】
第１の実施形態では、最初に抽出できたＰＭＴからＥＳのＰＩＤを取得し、ＥＳの抽出を行っている。一方、第３の実施形態では、過去の視聴で一度取得したサービスに関する情報（ＰＭＴおよびＥＳのＰＩＤ等）を、放送地域を示す地域識別番号と関連付けて地域別番組特定情報７１に保存しておく。そして、後に視聴するときは、受信したＰＭＴに含まれる地域識別番号を基に地域別番組特定情報７１を検索し、地域別番組特定情報７１に保存されているＥＳのＰＩＤに基づいてＥＳを抽出する。
【００４７】
図７において、制御部７は、多重分離部４から出力される番組特定情報（ＮＩＴあるいはＰＭＴ）に含まれる地域識別番号を抽出する。地域識別番号は、上述したように、受信中チャンネルの放送エリアを示す識別番号であり、ＮＩＴおよびＰＭＴそれぞれが有する情報である。なお、ＮＩＴの場合は、サービス識別情報（図１２参照）に含まれる形で地域識別番号を有している。そして、制御部７は、番組特定情報に含まれる所定の情報、例えば地域識別番号、ＰＭＴのＩＤおよびＥＳのＰＩＤを地域別番組特定情報７１に記録する。図８は、地域別番組特定情報７１のデータ構造の一例を示す図である。図８では、地域識別番号の１２００００番には、ＰＭＴ０（のＰＩＤ）が関連付けられ、当該ＰＭＴ０のサービスを構成するＥＳのＰＩＤは８０５４番であることを示している。
【００４８】
図９は、第３の実施形態にかかるデジタル放送受信装置で行われる受信処理を示すフローチャートである。まず、上述した第１の実施形態におけるステップＳ１と同様に、チュ−ナ部２は所定のチャンネルに同期して放送電波を受信し、復調部３は、受信した放送電波をＴＳに復調して、多重分離部４へ出力する（ステップＳ２１）。
【００４９】
次に、制御部７は、ＮＩＴおよびＰＭＴの抽出設定を行う（ステップＳ２２）。ステップＳ２２では、上述した第１の実施例におけるステップＳ２と同様に、制御部７は、８種類のサービスに対応したＰＭＴのＰＩＤをフィルタリングテーブルに登録する。更に、制御部７は、ＮＩＴのＰＩＤもフィルタリングテーブルに登録する。そして、多重分離部４は、フィルタリングテーブルに基づいてＴＳパケットを抽出する。
【００５０】
次に、多重分離部４は、抽出したＴＳパケットがＰＭＴか否か判定する（ステップＳ２３）。ステップＳ２３の判定の結果、ＰＭＴならば（ステップＳ２３でＹＥＳ）、当該ＰＭＴに含まれている地域識別番号を取得する。更に、地域テーブル（図８参照）の中に、取得した地域識別番号と一致する地域識別番号があるか否かを検索する（ステップＳ２４）。次に、制御部７は、検索結果を判定し（ステップＳ２５）、一致する地域識別番号があった場合（ステップＳ２５でＹＥＳ）は、当該地域識別番号に関連付けられているＰＭＴ０（プライマリサービス）のＰＩＤを検索する。当該検索の結果、ＰＭＴ０のＰＩＤが存在すれば、当該ＰＭＴ０のＰＩＤに関連付けられているＥＳのＰＩＤを地域別番組特定情報７１から取得して、フィルタリングテーブルに登録する。ＰＭＴ０のＰＩＤが見つからなければ、順次ＰＭＴ１、２…とＰＩＤを検索していき、検索できたＰＭＴのＰＩＤに関連付けられているＥＳのＰＩＤをフィルタリングテーブルに登録する（ステップＳ２６）。一方、ステップＳ２５の判定の結果、一致する地域番号が存在しない場合（ステップＳ２５でＮＯ）、制御部７は、多重分離部４がＮＩＴを抽出するのを待ち、ステップＳ２７に進む。
【００５１】
一方、ステップＳ２３の結果、多重分離部４が抽出したパケットがＰＭＴでない場合（ステップＳ２３でＮＯ）、当該パケットがＮＩＴか否かを判定する（ステップＳ２７）。ステップＳ２７の判定の結果、ＮＩＴでもない場合は（ステップＳ２７でＮＯ）、制御部７は、選局不可である旨のメッセージの通知等を行う（ステップＳ３４）。一方、ステップＳ２７の判定の結果、ＮＩＴである場合は、上述した第２の実施例におけるステップＳ１５〜Ｓ１９と同様の処理でＰＭＴの抽出およびＥＳの抽出を行う（ステップＳ２８〜Ｓ３２）。更に、制御部７は、番組特定情報に含まれる地域識別番号、ＰＭＴのＰＩＤおよびＰＭＴから取得したＥＳのＰＩＤをそれぞれ関連付けて地域別番組特定情報７１に登録する（ステップＳ３３）。そして、多重分離部４は、フィルタリングテーブルに登録されているＰＩＤを有するＴＳパケット（すなわち各ＥＳ）をＴＳから抽出し、復号部５へ出力していく。復号部５は、出力された各ＥＳを原映像データ・原音声データにデコードし、出力部６へ出力していく。以上で、第３の実施形態にかかる受信処理は終了する。
【００５２】
このように、第３の実施形態では、過去に視聴した番組の情報を地域識別番号と関連付けて蓄積しておき、地域識別番号がわかれば、蓄積した情報を用いて即座にＥＳの抽出設定を行うことができる。図１０は、本実施形態における、チャンネルを切替えてから番組特定情報が取得できるまでの時間経過を示す図である。図１０ではサービス番号０、１、２の３つのサービスが送出されており、過去に、プライマリサービス（ＰＭＴ０）の番組のみ視聴していたとする。この場合、時刻Ｔ１にチャンネル切替えが完了すると、直近に送出されるＰＭＴ２が時刻Ｔ３に抽出できる。そして、ＰＭＴ２から地域識別番号を取得し、１２００００番だった場合、地域識別番号が１２００００番として蓄積されている情報からＰＭＴ０に関連付けられているＥＳのＰＩＤを得ることができる。このように、第３の実施形態では、本来ならばプライマリサービスを構成するＥＳのＰＩＤは、ＰＭＴ０が送出される時刻Ｔ３´にならなければ知ることができないところ、過去に蓄積した情報を用いて当該ＥＳのＰＩＤを知ることができる。その結果、過去に視聴したことのあるエリア間の移動では選局時間を短縮することができ、利用者への番組提示、例えばプライマリサービスの番組をすぐに提示できる。
【００５３】
なお、上述の第３の実施形態では、地域識別番号、ＰＭＴのＩＤおよびＥＳのＰＩＤを記憶部に記憶しているが、地域識別番号と、例えばＰＭＴ０のＥＳのＰＩＤだけを記憶部に記憶するようにしてもよい。これにより、記憶部の容量を削減することができる。
【００５４】
また、上述した各実施形態は、コンピュータに実行させるプログラムの形態で提供されてもよい。この場合は、デジタル放送受信装置の記憶部（図示せず）に格納されたデジタル放送受信プログラムを読み込み、制御部７が図２、４、９に示すような処理を実行すればよい。
【産業上の利用可能性】
【００５５】
本発明に係るデジタル放送受信装置、受信方法および受信プログラムは、携帯端末や車載テレビなど移動を伴うテレビ受信機として有用である。
【図面の簡単な説明】
【００５６】
【図１】本発明の第１の実施形態に係るデジタル放送受信装置を示すブロック図
【図２】本発明の第１の実施形態に係る受信処理を示すフローチャート
【図３】第１の実施形態におけるチャンネルを切替えてからＰＭＴを抽出するまでの時間経過を示す図
【図４】本発明の第２の実施形態に係る受信処理を示すフローチャート
【図５】第２の実施形態におけるチャンネルを切替えてからＰＭＴを抽出するまでの時間経過を示す図
【図６】第２の実施形態におけるチャンネルを切替えてからＰＭＴを抽出するまでの時間経過を示す図
【図７】本発明の第３の実施形態に係るデジタル放送受信装置を示すブロック図
【図８】地域別番組特定情報７１のデータ構造の一例を示す図
【図９】本発明の第３の実施形態に係る受信処理を示すフローチャート
【図１０】第３の実施形態におけるチャンネルを切替えてからＰＭＴを抽出するまでの時間経過を示す図
【図１１】ＮＩＴ、ＰＭＴおよびＥＳの関連を模式的に示す図
【図１２】サービス識別情報のデータ構造の一例を示す図
【図１３】従来の受信処理を示すフローチャート
【図１４】従来の受信装置においてチャンネルを切替えてから番組特定情報が抽出できるまでの時間経過を示した図
【符号の説明】
【００５７】
１  受信アンテナ
２  チューナ部
３  復調部
４  多重分離部
５  復号部
６  出力部
７  制御部
８  チャンネルリスト
７１  地域別番組特定情報
１００、７００  デジタル放送受信装置
【図１】
2006173760.tif 000003
【図２】
2006173760.tif 000004
【図３】
2006173760.tif 000005
【図４】
2006173760.tif 000006
【図５】
2006173760.tif 000007
【図６】
2006173760.tif 000008
【図７】
2006173760.tif 000009
【図８】
2006173760.tif 000010
【図９】
2006173760.tif 000011
【図１０】
2006173760.tif 000012
【図１１】
2006173760.tif 000013
【図１２】
2006173760.tif 000014
【図１３】
2006173760.tif 000015
【図１４】
2006173760.tif 000016